(57)【要約】【課題】乗客の帰還状態及び乗客数を適切に管理することができ、また乗車予約のない者（不審者など）の乗車を防止できる乗客管理装置を提供すること。【解決手段】バスの乗客を管理する乗客管理装置１であって、乗車客用カメラ１０と、降車客用カメラ１０と、乗車客用カメラ１０で撮像された画像を撮像時刻と関連付けて記憶する乗車客画像記憶部４１と、降車客用カメラ２０で撮像された画像を撮像時刻と関連付けて記憶する降車客画像記憶部４２と、乗車客画像記憶部４１及び降車客画像記憶部４２に記憶された情報に基づいて、乗客数を検出する乗客数検出部５１ａと、検出された乗客数を報知する乗客数報知部５１ｂと、乗車客画像記憶部４１及び降車客画像記憶部４２に記憶された情報に基づいて、乗車後に降車した客と降車後に乗車してきた客とを照合する乗降客照合部５２ａと、照合結果を報知する照合結果報知部５２ｂとを装備する。【選択図】図１
2018106315.tif 000002
【特許請求の範囲】
【請求項１】
多人数の輸送が可能な輸送手段の乗客を管理する乗客管理装置であって、
乗車する客を撮像する１つ以上の乗車客撮像手段と、
降車する客を撮像する１つ以上の降車客撮像手段と、
前記乗車客撮像手段で撮像された乗車する客の顔を含む画像を撮像時刻と関連付けて記憶する乗車客画像記憶手段と、
前記降車客撮像手段で撮像された降車する客の顔を含む画像を撮像時刻と関連付けて記憶する降車客画像記憶手段と、
前記乗車客画像記憶手段及び前記降車客画像記憶手段に記憶された情報に基づいて、乗車している人数を検出する乗客数検出手段と、
前記乗車客画像記憶手段及び前記降車客画像記憶手段に記憶された情報に基づいて、乗車後に降車した客と降車後に乗車してきた客とを照合する乗降客照合手段と、
前記乗客数検出手段で検出された乗客数を報知する乗客数報知手段と、
前記乗降客照合手段で照合された結果を報知する照合結果報知手段とを備えていることを特徴とする乗客管理装置。
【請求項２】
乗客の生体認証情報を取得する生体認証情報取得手段を備え、
前記乗車客画像記憶手段が、前記画像とともに、乗車する客の生体認証情報を撮像時刻と関連付けて記憶するものであり、
前記降車客画像記憶手段が、前記画像とともに、降車する客の生体認証情報を撮像時刻と関連付けて記憶するものであることを特徴とする請求項１記載の乗客管理装置。
【請求項３】
前記乗車客撮像手段により２方向以上から撮像された複数の画像に基づいて乗車客の立体画像を生成する乗車客立体画像生成手段と、
前記降車客撮像手段により２方向以上から撮像された複数の画像に基づいて降車客の立体画像を生成する降車客立体画像生成手段とを備え、
前記乗車客画像記憶手段が、前記乗車客立体画像生成手段により生成された乗車客の立体画像を撮像時刻と関連付けて記憶するものであり、
前記降車客画像記憶手段が、前記降車客立体画像生成手段により生成された降車客の立体画像を撮像時刻と関連付けて記憶するものであり、
前記乗降客照合手段が、前記乗車後に降車した客の立体画像と前記降車後に乗車してきた客の立体画像とを照合するものであることを特徴とする請求項１記載の乗客管理装置。
【請求項４】
前記乗車客画像記憶手段及び前記降車客画像記憶手段に記憶された情報と、乗客の氏名及び座席位置を含む乗客情報とを関連付ける乗客情報関連付け手段と、
該乗客情報関連付け手段により関連付けられた情報に基づいて、前記輸送手段の空席位置及び空席数を検出する空席情報検出手段と、
該空席情報検出手段で検出された空席位置及び／又は空席数を報知する空席情報報知手段と、
前記乗客数検出手段により検出された乗客数に対して、前記空席情報検出手段で検出された空席数が合っているか否かを判断する空席数判断手段と、
該空席数判断手段による判断結果を報知する判断結果報知手段とを備えていることを特徴とする請求項１〜３のいずれかの項に記載の乗客管理装置。
【請求項５】
前記乗車客撮像手段で撮像された前記画像を含む照合指示データを、乗客の氏名、座席位置及び顔画像を含む乗客情報が登録されている乗客情報データベースサーバに送信する照合指示データ送信手段と、
前記乗客情報データベースサーバで照合された前記画像と前記乗客情報との照合結果を受信する照合結果受信手段とを備え、
前記乗客情報関連付け手段が、前記照合結果が一致した場合に、前記乗客情報データベースサーバから受信した前記乗客の氏名及び座席位置と、前記乗車客撮像手段で撮像された前記画像とを関連付ける処理を行うものであることを特徴とする請求項４記載の乗客管理装置。
【請求項６】
乗客の氏名及び座席位置を含む乗客情報を記憶する乗客情報記憶手段と、
前記乗車客撮像手段で撮像された前記画像を含む照合指示データを、個人の氏名及び顔画像を含む個人情報が登録されている個人情報データベースサーバに送信する照合指示データ送信手段と、
前記個人情報データベースサーバで照合された前記画像と前記個人情報との照合結果を受信する照合結果受信手段とを備え、
前記乗客情報関連付け手段が、前記照合結果が一致した結果であった場合に、前記照合結果に含まれる個人の氏名と前記乗客情報記憶手段に記憶された乗客の氏名とを照合し、該照合により一致した乗客の氏名及び座席位置と、前記乗車客撮像手段で撮像された前記画像とを関連付ける処理を行うものであることを特徴とする請求項４記載の乗客管理装置。
【請求項７】
前記乗降客照合手段による照合結果に基づいて、予定時刻に帰還していない乗客の携帯端末装置に位置情報要求信号を送信する要求信号送信手段と、
前記位置情報要求信号を受信した前記携帯端末装置から送信される位置情報を受信する位置情報受信手段と、
前記受信した位置情報を報知する位置情報報知手段とを備えていることを特徴とする請求項１〜６のいずれかの項に記載の乗客管理装置。
【請求項８】
乗客の携帯端末装置から送信される位置情報を受信する位置情報受信手段と、
前記受信した位置情報に基づいて予定時刻までに前記輸送手段に帰還できるか否かを判断する帰還判断手段と、
該帰還判断手段により、前記予定時刻までに帰還できないと判断した場合、該帰還できない乗客の携帯端末装置に呼出信号を送信する呼出信号送信手段とを備えていることを特徴とする請求項１〜６のいずれかの項に記載の乗客管理装置。
【請求項９】
乗客から預かった荷物の情報を登録する荷物情報登録手段と、
前記乗降客照合手段による照合結果に基づいて、予定時刻に帰還していない乗客が検出された場合、前記荷物情報登録手段に登録された荷物の情報に基づいて、前記帰還していない乗客の荷物があるか否かを判断する荷物判断手段と、
該荷物判断手段により、前記帰還していない乗客の荷物があると判断した場合、当該乗客の荷物を確認又は移動するように報知する荷物報知手段とを備えていることを特徴とする請求項１〜８のいずれかの項に記載の乗客管理装置。
【請求項１０】
前記照合結果が一致しない結果であった場合に、当該乗客の顔を含む画像と不審者画像登録情報との照合結果を報知する不審者照合結果報知手段と、
該不審者照合結果報知手段により、前記照合できない客が不審者である結果が報知された場合に、外部に通報する通報手段とを備えていることを特徴とする請求項１〜９のいずれかの項に記載の乗客管理装置。
【請求項１１】
多人数の輸送が可能な輸送手段の乗客を管理する乗客管理方法であって、
１つ以上の乗車客撮像手段を用いて乗車する客を撮像するステップと、
１つ以上の降車客撮像手段を用いて降車する客を撮像するステップと、
前記乗車客撮像手段で撮像された乗車する客の顔を含む画像を撮像時刻と関連付けて乗車客画像記憶手段に記憶するステップと、
前記降車客撮像手段で撮像された降車する客の顔を含む画像を撮像時刻と関連付けて降車客画像記憶手段に記憶するステップと、
前記乗車客画像記憶手段及び前記降車客画像記憶手段に記憶された情報に基づいて、乗車している乗客数を検出するステップと、
前記乗車客画像記憶手段及び前記降車客画像記憶手段に記憶された情報に基づいて、乗車後に降車した乗客と降車後に乗車してきた乗客とを照合するステップと、
前記乗客数を検出するステップで検出された乗客数を報知するステップと、
前記乗降客を照合するステップで照合された結果を報知するステップとを含んでいることを特徴とする乗客管理方法。
【発明の詳細な説明】
【技術分野】
【０００１】
本発明は乗客管理装置、及び乗客管理方法に関し、より詳細には、多人数の輸送が可能な輸送手段（例えば、バスなど）の乗客を管理するための乗客管理装置、及び乗客管理方法に関する。
【背景技術】
【０００２】
多人数で観光コースなどを巡る場合、バスがよく利用される。バスでの移動が長距離になる場合、サービスエリアなど、トイレのある場所で休憩を取ることがある。また、観光名所等で乗客が自由に行動できる自由時間が設定されることがある。
休憩時間や自由時間を取る場合、バスの添乗員から乗客へ出発時刻が伝えられるので、乗客はその時刻までにバスへ戻る必要がある。出発時刻になると、添乗員によって乗客の帰還状況が確認され、乗客全員のバスへの帰還が確認されると、バスは次の目的地へ出発することになる。
【０００３】
しかしながら、乗客人数が多い場合、この確認作業は簡単ではない。例えば、乗客リストと照合して点呼をとるなど、手間と時間がかかる。そこで、この確認作業を効率よく行うための技術が提案されている（例えば、下記の特許文献１、２を参照）。
【０００４】
特許文献１、２に記載された発明では、乗客が所持するタグ（ＩＣタグ）と、バスに搭載した装置との間で、無線信号のやり取りを行い、乗客の乗降を管理するようになっている。しかしながら、乗客毎にタグを用意しなければならず、システムを構築するためのコストが高くつき、また、乗客がタグを車内（座席）や車外で置き忘れた場合、乗客の乗降を正しく管理できないという課題があった。
【０００５】
また、乗客が途中で不正に入れ替わった場合、不正に乗車した乗客がタグをもっていれば、乗客が入れ替わったことを検出することができず、途中で不審者などが乗車したことを検出できないという課題があった。
【先行技術文献】
【特許文献】
【０００６】
【特許文献１】特開２００４−２５２９０９号公報
【特許文献２】特開２００４−１３９４５９号公報
【発明の概要】
【課題を解決するための手段及びその効果】
【０００７】
本発明は上記課題に鑑みなされたものであって、ＩＣタグなどを乗客に所持させなくても、乗客の帰還状態及び乗車している人数（乗客数）を適切に管理することができ、また乗車予定でない者（不審者など）の乗車や誤乗車を防止できる乗客管理装置及び乗客管理方法を提供することを目的としている。
【０００８】
上記目的を達成するために本発明に係る乗客管理装置（１）は、多人数の輸送が可能な輸送手段の乗客を管理する乗客管理装置であって、乗車する客を撮像する１つ以上の乗車客撮像手段と、降車する客を撮像する１つ以上の降車客撮像手段と、前記乗車客撮像手段で撮像された乗車する客の顔を含む画像を撮像時刻と関連付けて記憶する乗車客画像記憶手段と、前記降車客撮像手段で撮像された降車する客の顔を含む画像を撮像時刻と関連付けて記憶する降車客画像記憶手段と、前記乗車客画像記憶手段及び前記降車客画像記憶手段に記憶された情報に基づいて、乗車している人数を検出する乗客数検出手段と、前記乗車客画像記憶手段及び前記降車客画像記憶手段に記憶された情報に基づいて、乗車後に降車した客と降車後に乗車してきた客とを照合する乗降客照合手段と、前記乗客数検出手段で検出された乗客数を報知する乗客数報知手段と、前記乗降客照合手段で照合された結果を報知する照合結果報知手段とを備えていることを特徴としている。
【０００９】
上記乗客管理装置（１）によれば、前記乗車客画像記憶手段に記憶される前記画像及びその撮像時刻と、前記降車客画像記憶手段に記憶される前記画像及びその撮像時刻とに基づいて、乗車している人数（乗客数）を常時管理できる。また、乗車後に降車した客の画像と降車後に乗車してきた客の画像とを照合することにより、ＩＣタグなどの専用機器を乗客に所持させなくても乗客の帰還状態を適切に管理することができる。したがって、前記乗車後に降車した乗客とは異なる人物、例えば不審者などの乗車を防止でき、乗客の安全を守ることができる。
【００１０】
また本発明に係る乗客管理装置（２）は、上記乗客管理装置（１）において、乗客の生体認証情報を取得する生体認証情報取得手段を備え、前記乗車客画像記憶手段が、前記画像とともに、乗車する客の生体認証情報を撮像時刻と関連付けて記憶するものであり、前記降車客画像記憶手段が、前記画像とともに、降車する客の生体認証情報を撮像時刻と関連付けて記憶するものであることを特徴としている。
【００１１】
上記乗客管理装置（２）によれば、前記乗客数検出手段による乗客数の検出処理や前記乗降客照合手段による乗降客の照合処理において、前記画像とともに、前記乗降する客の生体認証情報を用いることができ、前記乗客数の検出精度や帰還時等における乗客の照合精度をさらに高めることができる。前記生体認証情報には、人間の指紋、静脈パターン、網膜、音声（声紋）などが含まれ、これらのうちの少なくとも１つの情報を用いることができる。
【００１２】
また本発明に係る乗客管理装置（３）は、上記乗客管理装置（１）において、前記乗車客撮像手段により２方向以上から撮像された複数の画像に基づいて乗車客の立体画像を生成する乗車客立体画像生成手段と、前記降車客撮像手段により２方向以上から撮像された複数の画像に基づいて降車客の立体画像を生成する降車客立体画像生成手段とを備え、前記乗車客画像記憶手段が、前記乗車客立体画像生成手段により生成された乗車客の立体画像を撮像時刻と関連付けて記憶するものであり、前記降車客画像記憶手段が、前記降車客立体画像生成手段により生成された降車客の立体画像を撮像時刻と関連付けて記憶するものであり、前記乗降客照合手段が、前記乗車後に降車した客の立体画像と前記降車後に乗車してきた客の立体画像とを照合するものであることを特徴としている。
【００１３】
上記乗客管理装置（３）によれば、前記乗降客照合手段によって、前記乗車後に降車した乗客の立体画像と前記降車後に乗車した乗客の立体画像とが照合されるので、平面画像どうしを照合する場合と比較して、照合精度を略１００％に近い確率まで向上させることができる。
【００１４】
また本発明に係る乗客管理装置（４）は、上記乗客管理装置（１）〜（３）のいずれかにおいて、前記乗車客画像記憶手段及び前記降車客画像記憶手段に記憶された情報と、乗客の氏名及び座席位置を含む乗客情報とを関連付ける乗客情報関連付け手段と、該乗客情報関連付け手段により関連付けられた情報に基づいて、前記輸送手段の空席位置及び空席数を検出する空席情報検出手段と、該空席情報検出手段で検出された空席位置及び／又は空席数を報知する空席情報報知手段と、前記乗客数検出手段により検出された乗客数に対して、前記空席情報検出手段で検出された空席数が合っているか否かを判断する空席数判断手段と、該空席数判断手段による判断結果を報知する判断結果報知手段とを備えていることを特徴としている。
【００１５】
上記乗客管理装置（４）によれば、前記乗客情報関連付け手段により、前記乗車した客の画像及び前記降車した客の画像と、乗客の名前及び座席位置とが関連付け（紐付け）されるので、乗客数だけでなく、前記空席位置及び空席数を管理することができる。さらに前記乗客数に対して前記空席数が合っているか否かを判断し、その判断結果が報知されるので、前記乗客数に対して前記空席数が合っていない場合は、乗務員は、乗客数の確認を速やかに行うことができ、乗客数の検出漏れまたは二重検出がされたことをすぐに確認できる。
【００１６】
また本発明に係る乗客管理装置（５）は、上記乗客管理装置（４）において、前記乗車客撮像手段で撮像された前記画像を含む照合指示データを、乗客の氏名、座席位置及び顔画像を含む乗客情報が登録されている乗客情報データベースサーバに送信する照合指示データ送信手段と、前記乗客情報データベースサーバで照合された前記画像と前記乗客情報との照合結果を受信する照合結果受信手段とを備え、前記乗客情報関連付け手段が、前記照合結果が一致した場合に、前記乗客情報データベースサーバから受信した前記乗客の氏名及び座席位置と前記乗車客撮像手段で撮像された前記画像とを関連付ける処理を行うものであることを特徴としている。
【００１７】
上記乗客管理装置（５）によれば、前記画像を含む照合指示データが前記乗客情報データベースサーバに送信され、前記乗客情報データベースサーバから前記照合結果を受信し、前記照合結果が一致した場合に、前記乗客情報データベースサーバから受信した前記乗客の氏名及び座席位置と、前記乗車客撮像手段で撮像された前記画像とが関連付けられるので、出発地点等において前記輸送手段に乗客が乗車する際に、乗務員等が乗客の氏名や乗車チケット等を乗客に直接確認しなくても、撮像された乗客の画像から乗客情報（乗客の氏名及び座席位置）を自動的に関連付けることができる。
【００１８】
また本発明に係る乗客管理装置（６）は、上記乗客管理装置（４）において、乗客の氏名及び座席位置を含む乗客情報を記憶する乗客情報記憶手段と、前記乗車客撮像手段で撮像された前記画像を含む照合指示データを、個人の氏名及び顔画像を含む個人情報が登録されている個人情報データベースサーバに送信する照合指示データ送信手段と、前記個人情報データベースサーバで照合された前記画像と前記個人情報との照合結果を受信する照合結果受信手段とを備え、前記乗客情報関連付け手段が、前記照合結果が一致した結果であった場合に、前記照合結果に含まれる個人の氏名と前記乗客情報記憶手段に記憶された乗客の氏名とを照合し、該照合により一致した乗客の氏名及び座席位置と、前記乗車客撮像手段で撮像された前記画像とを関連付ける処理を行うものであることを特徴としている。
【００１９】
上記乗客管理装置（６）によれば、前記画像を含む照合指示データが前記個人情報データベースサーバに送信され、前記個人情報データベースサーバから前記照合結果を受信し、前記照合結果が一致した結果であった場合に、前記照合結果に含まれる個人の氏名と前記乗客情報記憶手段に記憶された乗客の氏名とが照合され、該照合により一致した乗客の氏名及び座席位置と、前記乗車客撮像手段で撮像された前記画像とが関連付けされるので、出発地点等において前記輸送手段に乗客が乗車する際に、乗務員等が乗客の氏名や乗車チケット等を乗客に直接確認しなくても、撮像された乗客の画像から乗客情報（乗客の氏名）を自動的に関連付けることができる。
【００２０】
また本発明に係る乗客管理装置（７）は、上記乗客管理装置（１）〜（６）のいずれかにおいて、前記乗降客照合手段による照合結果に基づいて、予定時刻に帰還していない乗客の携帯端末装置に位置情報要求信号を送信する要求信号送信手段と、前記位置情報要求信号を受信した前記携帯端末装置から送信される位置情報を受信する位置情報受信手段と、前記受信した位置情報を報知する位置情報報知手段とを備えていることを特徴としている。
【００２１】
上記乗客管理装置（７）によれば、予定時刻に帰還していない乗客の携帯端末装置に位置情報要求信号を送信し、前記携帯端末装置から送信される位置情報を受信し、該受信した位置情報を報知するので、乗務員等は前記予定時刻に帰還していない乗客の位置を把握することができる。また、前記位置情報を経時的に受信することにより、帰還していない乗客の帰還状態等も把握することができる。
【００２２】
また本発明に係る乗客管理装置（８）は、上記乗客管理装置（１）〜（６）のいずれかにおいて、乗客の携帯端末装置から送信される位置情報を受信する位置情報受信手段と、前記受信した位置情報に基づいて予定時刻までに前記輸送手段に帰還できるか否かを判断する帰還判断手段と、該帰還判断手段により、前記予定時刻までに帰還できないと判断した場合、該帰還できない乗客の携帯端末装置に呼出信号を送信する呼出信号送信手段とを備えていることを特徴としている。
【００２３】
上記乗客管理装置（８）によれば、前記予定時刻までに帰還できないと判断した場合、該帰還できない乗客の携帯端末装置に呼出信号を送信するので、未帰還の乗客の位置に応じて前記呼出信号を送信するタイミングを調整することができ、適切なタイミングで呼出を行うことができ、乗客の帰還が大幅に遅れることを防止することができる。
【００２４】
また本発明に係る乗客管理装置（９）は、上記乗客管理装置（１）〜（８）のいずれかにおいて、乗客から預かった荷物の情報を登録する荷物情報登録手段と、前記乗降客照合手段による照合結果に基づいて、予定時刻に帰還していない乗客が検出された場合、前記荷物情報登録手段に登録された荷物の情報に基づいて、前記帰還していない乗客の荷物があるか否かを判断する荷物判断手段と、該荷物判断手段により、前記帰還していない乗客の荷物があると判断した場合、当該乗客の荷物を確認又は移動するように報知する荷物報知手段とを備えていることを特徴としている。
【００２５】
上記乗客管理装置（９）によれば、前記予定時刻に帰還していない乗客が検出された場合、前記荷物情報登録手段に登録された荷物の情報に基づいて、前記帰還していない乗客の荷物があるか否かを判断し、前記帰還していない乗客の荷物があると判断した場合、当該乗客の荷物を確認又は移動するように報知するので、前記帰還していない乗客の荷物が不審物等であった場合に、速やかに当該荷物を前記輸送手段の外に移動することが可能となり、他の乗客の安全を確保することができ、また、前記不審物による事故の発生を防止することができる。
【００２６】
また本発明に係る乗客管理装置（１０）は、上記乗客管理装置（１）〜（９）のいずれかにおいて、前記照合結果が一致しない結果であった場合に、当該乗客の顔を含む画像と不審者画像登録情報との照合結果を報知する不審者照合結果報知手段と、該不審者照合結果報知手段により、前記照合できない客が不審者である結果が報知された場合に、外部に通報する通報手段とを備えていることを特徴としている。
【００２７】
上記乗客管理装置（１０）によれば、前記照合結果が一致しない結果であった場合に、当該乗客の顔を含む画像と不審者画像登録情報との照合結果を報知するとともに、外部に通報するので、乗務員等は不審者の乗車をいち早く把握することができるため、乗客の安全を確保する対策を速やかに講じることができ、また、外部通報機関（警察や警備会社など）に通報することにより、警備部隊などが速やかに駆け付けることが可能となり、前記不審者を早期に確保できる。
【００２８】
また本発明に係る乗客管理方法は、多人数の輸送が可能な輸送手段の乗客を管理する乗客管理方法であって、１つ以上の乗車客撮像手段を用いて乗車する客を撮像するステップと、１つ以上の降車客撮像手段を用いて降車する客を撮像するステップと、前記乗車客撮像手段で撮像された乗車する客の顔を含む画像を撮像時刻と関連付けて乗車客画像記憶手段に記憶するステップと、前記降車客撮像手段で撮像された降車する客の顔を含む画像を撮像時刻と関連付けて降車客画像記憶手段に記憶するステップと、前記乗車客画像記憶手段及び前記降車客画像記憶手段に記憶された情報に基づいて、乗車している乗客数を検出するステップと、前記乗車客画像記憶手段及び前記降車客画像記憶手段に記憶された情報に基づいて、乗車後に降車した乗客と降車後に乗車してきた乗客とを照合するステップと、前記乗客数を検出するステップで検出された乗客数を報知するステップと、前記乗降客を照合するステップで照合された結果を報知するステップとを含んでいることを特徴としている。
【００２９】
上記乗客管理方法によれば、前記乗車客画像記憶手段に記憶される前記画像及びその撮像時刻と、前記降車客画像記憶手段に記憶される前記画像及びその撮像時刻とに基づいて、乗車している人数（乗客数）を常時管理できる。また、乗車後に降車した客の画像と降車後に乗車してきた客の画像とを照合することにより、ＩＣタグなどの専用機器を乗客に所持させなくても乗客の帰還状態を適切に管理することができる。さらに、前記乗車後に降車した乗客とは異なる人物、例えば不審者などの乗車を防止でき、乗客の安全を守ることができる。
【図面の簡単な説明】
【００３０】
【図１】本発明の実施の形態（１）に係る乗客管理装置の概略構成を示したブロック図である。
【図２】実施の形態（１）に係る乗客管理装置におけるマイコンの行う処理動作を示したフローチャートである。
【図３】実施の形態（１）に係る乗客管理装置におけるマイコンの行う処理動作を示したフローチャートである。
【図４】実施の形態（２）に係る乗客管理装置の概略構成を示したブロック図である。
【図５】実施の形態（２）に係る乗客管理装置におけるマイコンの行う処理動作を示したフローチャートである。
【図６】実施の形態（２）に係る乗客管理装置におけるマイコンの行う処理動作を示したフローチャートである。
【図７】実施の形態（２）に係る乗客管理装置におけるマイコンの行う処理動作を示したフローチャートである。
【図８】実施の形態（３）に係る乗客管理装置の概略構成を示したブロック図である。
【図９】実施の形態（３）に係る乗客管理装置におけるマイコンの行う処理動作を示したフローチャートである。
【図１０】実施の形態（３）に係る乗客管理装置におけるマイコンの行う処理動作を示したフローチャートである。
【図１１】実施の形態（４）に係る乗客管理装置の概略構成を示したブロック図である。
【図１２】実施の形態（４）に係る乗客管理装置におけるマイコンの行う処理動作を示したフローチャートである。
【図１３】実施の形態（４）に係る乗客管理装置におけるマイコンの行う処理動作を示したフローチャートである。
【図１４】実施の形態（４）に係る乗客管理装置におけるマイコンの行う処理動作を示したフローチャートである。
【図１５】実施の形態（５）に係る乗客管理装置の概略構成を示したブロック図である。
【図１６】実施の形態（５）に係る乗客管理装置におけるマイコンの行う処理動作を示したフローチャートである。
【図１７】実施の形態（５）に係る乗客管理装置におけるマイコンの行う処理動作を示したフローチャートである。
【図１８】実施の形態（６）に係る乗客管理装置の概略構成を示したブロック図である。
【図１９】実施の形態（６）に係る乗客管理装置におけるマイコンの行う処理動作を示したフローチャートである。
【図２０】実施の形態（６）に係る乗客管理装置におけるマイコンの行う処理動作を示したフローチャートである。
【発明を実施するための形態】
【００３１】
以下、本発明に係る乗客管理装置、及び乗客管理方法の実施の形態を図面に基づいて説明する。なお、以下に述べる各実施の形態は、本発明の好適な具体例であるから、技術的に好ましい種々の限定が付されているが、本発明の技術的範囲は、以下の説明において特に本発明を限定する旨の記載がない限り、これらの実施の形態に限定されるものではない。
【００３２】
図１は、実施の形態（１）に係る乗客管理装置１の概略構成を示したブロック図である。なお、以下の各実施の形態では、１台以上のバス（輸送手段）で移動する旅行に参加した乗客の管理を行う乗客管理装置について説明する。輸送手段はバス等の車両に限定されない。船、飛行機などの多人数の輸送が可能な輸送手段の乗客の管理にも適用することができる。また、複数台のバスで移動する場合、各バスに乗客管理装置１を搭載し、これら複数の乗客管理装置１どうしで通信により各種情報をやり取りする構成（互いに連携可能な構成）にすることもできる。
【００３３】
実施の形態（１）に係る乗客管理装置１は、乗車客用カメラ１０、降車客用カメラ２０、時計部３０、記憶部４０、マイクロコンピュータ（マイコン）５０、表示部６０、通信部７０、及び操作部８０を含んで構成されている。
【００３４】
乗車客用カメラ１０は、乗車する客を撮像するためのカメラであり、降車客用カメラ２０は、降車する客を撮像するためのカメラである。いずれもレンズ部、ＣＣＤセンサやＣＭＯＳセンサなどの撮像素子、画像処理部、及び記憶部（いずれも図示せず）などを含んで構成され、動画や静止画を撮像することができる。前記画像処理部は、人の顔を個別に検出する人検出処理機能などを備えた画像処理プロセッサで構成されている。前記人検出処理機能は、例えば、撮像した画像から人の顔（顔と合致する領域）を検出し、該顔の画像領域から目、鼻、口端などの特徴点を抽出し、これら特徴点から人の顔を個別に検出する機能で構成されている。
【００３５】
乗車客用カメラ１０は、例えば、バスの乗車口付近の乗車する客の顔が撮像できる位置に設置される。降車客用カメラ２０は、例えば、バスの降車口付近の降車する客の顔が撮像できる位置に設置される。なお、乗車客用カメラ１０と降車客用カメラ２０は、それぞれ２つ以上のカメラで構成してもよい。また、乗車客用カメラ１０と降車客用カメラ２０とを一つのカメラで兼用するように構成してもよい。また、車外や車内を撮像するドライブレコーダーや車両の周辺監視装置用として搭載された１つ以上の車載用カメラを乗車客用カメラ１０や降車客用カメラ２０として兼用してもよい。
【００３６】
時計部３０は、時計回路を含んで構成され、乗車客用カメラ１０や降車客用カメラ２０で画像が撮像された時刻を記録する機能を備えている。
記憶部４０は、乗車客画像記憶部４１と降車客画像記憶部４２とを含んで構成されている。乗車客画像記憶部４１には、乗車客用カメラ１０で撮像された乗車する客の顔を含む画像と撮像時刻とが関連付けて記憶される。降車客画像記憶部４２には、降車客用カメラ２０で撮像された乗車する客の顔を含む画像と撮像時刻とが関連付けて記憶される。記憶部４０は、例えば、フラッシュメモリなどの１つ以上の半導体メモリやハードディスク装置などで構成することができ、内蔵型メモリのみならず、外付け式メモリを適用することができる。
【００３７】
マイコン５０は、各種の演算処理や情報処理などを行う機能を備え、１つ以上のプロセッサ（ＣＰＵ）、ＲＡＭ、ＲＯＭなどを含んで構成されている。マイコン５０は、乗車客画像記憶部４１と降車客画像記憶部４２に記憶された情報に基づいて、乗車している人数を検出する乗客数検出部５１ａと、乗客数検出部５１ａで検出された乗客数を表示部６０に表示する乗客数報知部５１ｂとしての機能を備えている。さらに、乗車客画像記憶部４１と降車客画像記憶部４２に記憶された情報に基づいて、乗車後に降車した客と降車後に乗車してきた客とを照合（画像認識処理）する乗降客照合部５２ａと、乗降客照合部５２ａで照合された結果を表示部６０に表示する照合結果報知部５２ｂとしての機能を備えている。マイコン５０には、これら各機能を実現するためのプログラムやデータが記憶されている。乗降客照合部５２ａには、人工知能（ＡＩ）を組み込んだ画像認証（顔認証）システムを採用してもよい。なお、上記各報知処理は、表示部６０への表示だけでなく、図示しない音声出力部から合成音声を出力して報知してもよい。
【００３８】
表示部６０は、液晶ディスプレイや有機ＥＬディスプレイなどの表示装置で構成されている。通信部７０は、携帯電話網やインターネットなどの各種の通信ネットワークを介して外部とデータ通信や通話処理等を行うための無線通信機能を備えている。操作部８０は、タッチパネルや操作ボタンなどの入力装置で構成されている。
【００３９】
乗客管理装置１は、例えば、カメラ機能と無線通信機能と比較的大型の表示部を備えているタブレット端末などの携帯端末装置で構成することもできる。また、複数の携帯端末装置を用いたシステムにより乗客管理装置１を構築することもできる。また、乗車客用カメラ１０及び降車客用カメラ２０と、記憶部４０及びマイコン５０を含む他の構成部分とが別体で構成され、互いに通信により情報のやり取りを行う構成とすることもできる。
【００４０】
図２は、実施の形態（１）に係る乗客管理装置１におけるマイコン５０の行う処理動作を示したフローチャートである。本処理動作は、例えば、出発地点などで乗車予定の客（ツアー客）をバスに乗車させるときに実行される。
【００４１】
まずステップＳ１では、所定の起動信号に基づいて、乗車客用カメラ１０を起動する処理を行い、次に乗客数カウンタＫ１を０にセット（クリア）し（ステップＳ２）、その後、撮像処理を開始する（ステップＳ３）。前記所定の起動信号には、例えば、乗務員（本装置の管理者）による操作信号、又はバス側から受信した所定の操作信号（例えばドアを開く操作信号など）が含まれる。前記撮像処理は、動画像の撮影の他、静止画像を間欠的に撮影するようにしてもよく、また、人を検出した場合にのみ撮像処理を行うようにしてもよい。
【００４２】
次のステップＳ４では、撮像した画像から人の顔を検出したか否かを判断し、人の顔を検出したと判断すればステップＳ５に進み、当該人の顔を含む画像を撮像時刻と関連付けて乗車客画像記憶部４１に記憶する処理を行う。
画像から人の顔を検出する処理方法には、例えば、撮像した画像から人の顔と合致する領域（矩形領域）を検出し、該顔の画像領域から目、鼻、口端などの特徴点位置を抽出し、これら特徴点位置に基づいて人を個別に検出する方法などが採用される。その他の顔検出技術も適用できる。乗車客画像記憶部４１には、検出された人の顔を含む画像情報（該顔の特徴点位置などの情報を含む）と撮像時刻とが関連付けて記憶される。
【００４３】
次のステップＳ６では、乗客数カウンタＫ１に１を加算し、次のステップＳ７では、乗客数を表示部６０に表示する報知処理を行う。表示部６０には、例えば、「現在の乗車人数は○○人です。」といった表示がされる。また、音声出力部（図示せず）から音声（合成音声）で乗客数を報知するようにしてもよい。
【００４４】
次のステップＳ８では、所定条件に基づいて、乗車予定の全員の乗車が完了したか否かを判断する。前記所定条件には、例えば、乗客数カウンタＫ１が予定人数又は定員数になった場合、乗務員からの乗車完了操作の入力があった場合、またはバス側から受信した乗車ドアを閉める操作入力があった場合などの条件が含まれる。ステップＳ８において、乗車予定の全員の乗車が完了していないと判断すればステップＳ４に戻る一方、乗車予定の全員の乗車が完了したと判断すればステップＳ９に進み、乗客数カウンタＫ１を乗客数として記憶して、その後処理を終える。
【００４５】
図３は、実施の形態（１）に係る乗客管理装置１におけるマイコン５０の行う処理動作を示したフローチャートである。図３（ａ）は、例えば、休憩地点や観光地点などで乗客がバスから降車するときに実行される処理動作、図３（ｂ）は、例えば、休憩地点や観光地点などで降車した乗客がバスに再乗車するときに実行される処理動作を示している。
【００４６】
図３（ａ）に示すステップＳ１１では、所定の起動信号に基づいて、降車客用カメラ２０を起動する処理を行い、次に降車客カウンタＫ２を０にセット（クリア）し（ステップＳ１２）、その後、撮像処理を開始する（ステップＳ１３）。前記所定の起動信号には、例えば、乗務員による操作信号、又はバス側から受信した所定の操作信号（例えばドアを開く操作信号など）が含まれる。前記撮像処理は、動画像の撮影の他、静止画像を間欠的に撮影するようにしてもよく、また、人を検出した場合にのみ撮像処理を行うようにしてもよい。
【００４７】
次のステップＳ１４では、撮像した画像から降車する人の顔を検出したか否かを判断し、人の顔を検出したと判断すればステップＳ１５に進み、当該人の顔を含む画像を撮像時刻と関連付けて降車客画像記憶部４２に記憶する処理を行う。
画像から人の顔を検出する処理方法には、上記した乗車客用カメラ１０による人検出と同様の方法が採用される。降車客画像記憶部４２には、検出された人の顔を含む画像情報（当該顔の特徴点位置などの情報を含む）と撮像時刻とが関連付けて記憶される。
【００４８】
次のステップＳ１６では、降車客カウンタＫ２に１を加算するとともに、Ｋ１からＫ２を減算する処理を行い、その後ステップＳ１７において、降車客数（Ｋ２の値）と車内に残っている乗客数（Ｋ１−Ｋ２の値）を表示部６０に表示する報知処理を行う。
次のステップＳ１８では、車内に残っている乗客数（Ｋ１−Ｋ２）が０になったか否かを判断し、車内に残っている乗客数が０ではないと判断すればステップＳ１４に戻る。一方ステップＳ１８において、車内に残っている乗客数が０であると判断すれば、降車客カウンタＫ２を降車客数として記憶し（ステップＳ１９）、その後処理を終える。
【００４９】
図３（ｂ）に示すステップＳ２１では、所定の起動信号に基づいて、乗車客用カメラ１０を起動する処理を行い、次に乗車客カウンタＫ３を０にセット（クリア）し（ステップＳ２２）、その後、撮像処理を開始する（ステップＳ２３）。所定の起動信号には、例えば、乗務員による操作信号、バス側から受信した所定の操作信号（乗車ドアを開く操作信号など）が含まれる。
【００５０】
次のステップＳ２４では、乗車してくる人の顔を検出したか否かを判断し、人の顔を検出したと判断すればステップＳ２５に進む。ステップＳ２５では、当該人の顔を含む画像と、降車客画像記憶部４２に記憶された降車客画像とを照合する処理（画像認識処理）を行う。顔照合処理では、当該人の顔を含む画像と、降車客画像記憶部４２に記憶された降車客画像とをそれぞれ比較する。比較の際には、例えば、各画像から抽出された顔の特徴点、例えば、目、鼻、口、等の位置、大きさ、高さ、顔の輪郭などを比較し、これら特徴点の類似度合いに基づいて同一人か否かを判断する顔認証処理などを適用できる。他の顔認証技術を適用することもできる。
【００５１】
次のステップＳ２６では、当該人の顔画像が降車客画像記憶部４２に記憶されている降車客の顔画像と一致したか否かを判断し、一致したと判断すればステップＳ２７に進む。ステップＳ２７では、当該人の顔を含む画像と撮像時刻とを関連付けて乗車客画像記憶部４１に記憶する処理を行う。
【００５２】
次のステップＳ２８では、乗車客カウンタＫ３に１を加算するとともに、未帰還の乗客数（Ｋ２−Ｋ３）と車内にいる乗客数（Ｋ１−Ｋ２＋Ｋ３）とを算出する処理を行いステップＳ２９に進む。ステップＳ２９では、算出した未帰還の乗客数（Ｋ２−Ｋ３）と車内にいる乗客数（Ｋ１−Ｋ２＋Ｋ３）とを表示部６０に表示する報知処理を行う。次のステップＳ３０では、未帰還の乗客数（Ｋ２−Ｋ３）が０になったか否かを判断し、未帰還の乗客数が０ではない（未帰還の乗客がいる）と判断すればステップＳ２４に戻る。一方ステップＳ３０において、未帰還の乗客数が０である（全員帰還した）と判断すれば、その後処理を終える。
【００５３】
一方、ステップＳ２６において、当該人の顔画像が降車客画像記憶部４２に記憶されている降車客の顔画像と一致しない（不一致）と判断すればステップＳ３１に進む。ステップＳ３１では、不一致であったことを表示部６０に表示する報知処理を行い、その後ステップＳ３０に進む。
ステップＳ３１で行われる報知処理により、乗務員等は、乗車してきた人が再乗車の客ではないことがすぐに分かるので、乗車してきた人に誤乗車の確認等を速やかに行うことができる。また、複数台のバスで旅行している場合には、別のバスに装備された乗客管理装置１に当該人の顔画像を送信し、各バスの乗客管理装置１で画像照合処理を行い、それらの照合結果を受信して報知する処理を行ってもよい。複数の乗客管理装置１を連携可能な構成にすれば、乗車してきた人がバスを間違えていた場合に、乗車すべきバスを速やかに知らせることができる。
【００５４】
実施の形態（１）に係る乗客管理装置１によれば、乗車客画像記憶部４１に記憶される乗車客の画像及びその撮像時刻と、降車客画像記憶部４２に記憶される降車客の画像及びその撮像時刻とに基づいて、バスに乗車している人数（乗客数）を常時管理することができる。また、乗車後に降車した客の顔画像と降車後に乗車してきた客の顔画像とを照合（顔認証）することにより、ＩＣタグなどの専用機器を乗客に所持させなくても乗客の帰還状態を適切に管理することができる。さらに、前記乗車後に降車した乗客とは異なる人物、例えば不審者などが乗車することを防止することができ、乗客の安全を守ることができる。
【００５５】
図４は、実施の形態（２）に係る乗客管理装置１Ａの概略構成を示したブロック図である。但し、実施の形態（１）に係る乗客管理装置１と同様の構成部分については、同符号を付して、その説明を省略する。
実施の形態（２）に係る乗客管理装置１Ａは、乗降する客の指紋を読み取る指紋センサ３１をさらに備えている。また、顔画像の照合結果（顔認証結果）が不一致となった場合に、通信ネットワーク２を介して外部の不審者情報登録サーバ４にアクセスし、不審者情報登録サーバ４で実行された不審者データとの照合結果を受信して報知する機能を備えている。
【００５６】
実施の形態（２）に係る乗客管理装置１Ａは、乗車客用カメラ１０、降車客用カメラ２０、時計部３０、指紋センサ３１、記憶部４０、マイクロコンピュータ（マイコン）５０、表示部６０、通信部７０、及び操作部８０を含んで構成されている。
【００５７】
指紋センサ３１は、例えば、半導体式の指紋センサで構成され、指を当該センサ上に置いたときに、指紋の凹凸によって異なる電極の電荷の変化を検出し、この電荷量を電圧に変換し、さらに指紋画像に変換する機能を備えている。そして取得した指紋画像から特徴点、例えば、指紋模様の中心点、指紋凸部模様の分岐点、端点、三角州などを抽出する機能を備えている。指紋センサ３１は、乗降時に指をタッチしやすい位置に設置すればよく、例えば、バスの乗車ドアや降車ドアの付近に設置することが好ましい。指紋センサ３１を複数設けても良い。
【００５８】
なお、実施の形態（２）では、生体認証情報取得手段として指紋センサ３１を採用したが、生体認証情報取得手段は指紋センサ３１に限定されるものではない。人の静脈パターン、網膜、又は音声（声紋）などの個人を識別可能な生体情報を取得可能な１つ以上のセンサを適用することができる。
【００５９】
記憶部４０Ａは、乗車客画像記憶部４１Ａと、降車客画像記憶部４２Ａとを含んで構成されている。乗車客画像記憶部４１Ａには、乗車客用カメラ１０で撮像された乗車する客の顔を含む画像及び指紋センサ３１で取得した乗車する客の指紋情報（指紋画像及び特徴点）が撮像時刻と関連付けて記憶される。降車客画像記憶部４２Ａには、降車客用カメラ２０で撮像された乗車する客の顔を含む画像及び指紋センサ３１で取得した降車する客の指紋情報（指紋画像及び特徴点）が撮像時刻と関連付けて記憶される。
【００６０】
マイコン５０Ａには、乗車客画像記憶部４１Ａと降車客画像記憶部４２Ａに記憶された情報に基づいて乗客数を検出する乗客数検出部５１ａと、乗客数報知部５１ｂとしての機能を備えている。また、乗車客画像記憶部４１Ａと降車客画像記憶部４２Ａに記憶された情報に基づいて、乗車後に降車した客と該降車後に乗車してきた客とを照合する処理（画像認識処理）を行う乗降客照合部５２ａと、照合結果報知部５２ｂとしての機能を備えている。また、後述する不審者照合結果受信部７２で受信した不審者情報を表示部６０に表示して報知する不審者情報報知部５３としての機能を備えている。マイコン５０Ａには、これら機能を実現するためのプログラムやデータが記憶されている。上記各報知処理は、表示部６０への表示だけでなく、図示しない音声出力部から合成音声を出力して報知してもよい。
【００６１】
通信部７０Ａには、乗客画像送信部７１と、不審者照合結果受信部７２と、通報部７３としての機能を含んで構成されている。乗客画像送信部７１は、乗降客照合部５２ａによる照合結果、不一致となった場合に当該人の顔を含む画像を、無線基地局３、通信ネットワーク２を介して不審者情報登録サーバ４に送信する機能を備えている。不審者照合結果受信部７２は、不審者情報登録サーバ４から送信された不審者照合結果を受信する機能を備えている。通報部７３は、照合結果が不審者であった場合に、警察や公安、警備会社などの外部機関に通報する機能を備えている。
【００６２】
乗客管理装置１Ａは、タブレット端末などの携帯端末装置で構成することもでき、また、複数の携帯端末装置を用いたシステムにより乗客管理装置１Ａを構築することもできる。また、乗車客用カメラ１０、降車客用カメラ２０及び指紋センサ３１と、記憶部４０及びマイコン５０を含む他の構成部分とが別体で構成され、互いに通信により情報のやり取りを行う構成とすることもできる。
【００６３】
不審者情報登録サーバ４は、不審者情報データベース４ａを備えたコンピュータで構成されている。不審者情報データベース４ａには、警察や公安などで収集された不審者（犯罪者など）の氏名、顔画像、身体的特徴、前科などを含む不審者情報が登録されている。不審者情報登録サーバ４は、乗客管理装置１Ａから画像を受信すると、該画像を不審者情報データベース４ａの画像と照合し、照合結果を乗客管理装置１Ａに送信する。照合結果には、例えば、一致又は不一致の結果情報、さらに不審者と一致した場合には前記不審者情報を含めることができる。
【００６４】
図５は、実施の形態（２）に係る乗客管理装置１Ａにおけるマイコン５０Ａの行う処理動作を示したフローチャートである。本処理動作は、例えば、出発地点などで乗車予定の客（ツアー客）をバスに乗車させるときに実行される。なお、図２に示した処理動作と同様の処理動作には同符号を付し、その説明を省略する。
【００６５】
まずステップＳ１では、乗車客用カメラ１０の起動処理を行い、次に乗客数カウンタＫ１を０にセットし（ステップＳ２）、その後、撮像処理を開始する（ステップＳ３）。ステップＳ４では、撮像した画像から人の顔を検出したか否かを判断し、人の顔を検出したと判断すればステップＳ４１に進む。
【００６６】
ステップＳ４１では、指紋センサ３１で指紋を検出したか否かを判断し、ステップＳ４１において、指紋を検出したと判断すればステップＳ４２に進む。ステップＳ４２では、当該人の顔を含む画像及び指紋情報を撮像時刻と関連付けて乗車客画像記憶部４１Ａに記憶する処理を行い、その後ステップＳ６に進む。一方ステップＳ４１において、指紋を検出していないと判断すればステップＳ４３に進み、当該人の顔を含む画像を撮像時刻と関連付けて乗車客画像記憶部４１Ａに記憶する処理を行い、その後ステップＳ６に進む。
【００６７】
ステップＳ６では、乗客数カウンタＫ１に１を加算し、その後、乗客数を表示部６０に表示する報知処理を行う（ステップＳ７）。ステップＳ８では、乗車予定の全員の乗車が完了したか否かを判断し、乗車予定の全員の乗車が完了していないと判断すればステップＳ４に戻る。一方ステップＳ８において、乗車予定の全員の乗車が完了したと判断すれば、乗客数カウンタＫ１を乗客数として記憶し（ステップＳ９）、その後処理を終える。
【００６８】
図６、７は、実施の形態（２）に係る乗客管理装置１Ａにおけるマイコン５０Ａの行う処理動作を示したフローチャートである。図６は、例えば、休憩地点や観光地点などで乗客がバスから降車するときに実行される処理動作、図７は、例えば、休憩地点や観光地点などで降車した乗客がバスに再乗車するときに実行される処理動作を示している。なお、図３（ａ）、（ｂ）に示した処理動作と同様の処理動作には、同符号を付しその説明を省略する。
【００６９】
図６に示すステップＳ１１では、降車客用カメラ２０を起動する処理を行い、次に降車客カウンタＫ２を０にセットし（ステップＳ１２）、その後、撮像処理を開始する（ステップＳ１３）。次のステップＳ１４では、撮像した画像から降車する人の顔を検出したか否かを判断し、人の顔を検出したと判断すればステップＳ５１に進む。
【００７０】
ステップＳ５１では、指紋センサ３１で指紋を検出したか否かを判断し、ステップＳ５１において、指紋を検出したと判断すればステップＳ５２に進む。ステップＳ５２では、当該人の顔を含む画像及び指紋情報を撮像時刻と関連付けて降車客画像記憶部４２Ａに記憶する処理を行い、その後ステップＳ１６に進む。一方ステップＳ５１において、指紋を検出していないと判断すればステップＳ５３に進み、当該人の顔を含む画像を撮像時刻と関連付けて降車客画像記憶部４２Ａに記憶する処理を行い、その後ステップＳ１６に進む。
【００７１】
ステップＳ１６では、降車客カウンタＫ２に１を加算するとともに、Ｋ１からＫ２を減算する処理を行い、次のステップＳ１７では、降車客数（Ｋ２の値）と車内に残っている乗客数（Ｋ１−Ｋ２の値）を表示部６０に表示する報知処理を行う。
ステップＳ１８では、車内に残っている乗客数（Ｋ１−Ｋ２）が０になったか否かを判断し、車内に残っている乗客数が０になっていないと判断すればステップＳ１４に戻る。一方ステップＳ１８において、車内に残っている乗客数が０になったと判断すれば、降車客カウンタＫ２を降車客数として記憶し（ステップＳ１９）、その後処理を終える。
【００７２】
図７に示すステップＳ２１では、乗車客用カメラ１０を起動する処理を行い、次に乗車客カウンタＫ３を０にセットし（ステップＳ２２）、その後、撮像処理を開始する（ステップＳ２３）。次のステップＳ２４では、乗車してくる人の顔を検出したか否かを判断し、人の顔を検出したと判断すればステップＳ６１に進む。
【００７３】
ステップＳ６１では、指紋センサ３１で指紋を検出したか否かを判断し、ステップＳ６１において指紋を検出したと判断すればステップＳ６２に進む。ステップＳ６２では、当該人の顔を含む画像及び指紋情報と、降車客画像記憶部４２Ａに記憶された情報（降車客画像及び指紋情報、又は降車客画像）とを照合する処理（顔認証及び指紋認証処理、又は顔認証処理）を行う。
指紋認証処理では、当該人の指紋画像と、降車客画像記憶部４２Ａに記憶された降車客の指紋情報とをそれぞれ比較（照合）する。比較の際には、例えば、各指紋画像から指紋の特徴点、例えば、指紋模様の中心点、指紋凸部模様の分岐点、端点、三角州などを抽出し、これらの特徴点などを比較して、これら特徴点の類似度合いに基づいて同一人か否かを判断する方法を適用できる。他の指紋認証技術を適用することもできる。
【００７４】
次のステップＳ６３では、当該人の顔画像及び指紋が、降車客画像記憶部４２Ａに記憶されている降車客の顔画像及び指紋と一致したか否かを判断し、少なくともいずれかと一致したと判断すればステップＳ６４に進む。ステップＳ６４では、当該人の顔を含む画像及び指紋情報を撮像時刻と関連付けて乗車客画像記憶部４１Ａに記憶する処理を行い、その後ステップＳ２８に進む。
【００７５】
一方ステップＳ６１において、指紋を検出していないと判断すればステップＳ６５に進み、当該人の顔を含む画像と、降車客画像記憶部４２Ａに記憶された降車客画像とを照合する処理（顔認証処理）を行う。次のステップＳ６６では、当該人の顔画像が、降車客画像記憶部４２Ａに記憶されている降車客の顔画像と一致したか否かを判断し、一致したと判断すればステップＳ６７に進む。ステップＳ６７では、当該人の顔を含む画像を撮像時刻と関連付けて乗車客画像記憶部４１Ａに記憶する処理を行い、その後ステップＳ２８に進む。ステップＳ２８〜Ｓ３０の処理動作は、図３（ｂ）に示したステップＳ２８〜Ｓ３０の処理動作と同様であるので、その説明を省略する。
【００７６】
一方ステップＳ６３において、降車客の顔画像及び指紋のいずれとも一致していないと判断すればステップＳ６８に進み、乗車してきた客の画像及び指紋情報を不審者情報登録サーバ４へ送信する処理を行い、その後ステップＳ７０に進む。
また、ステップＳ６６において、降車客の顔画像と一致していないと判断すればステップＳ６９に進み、乗車してきた客の画像を不審者情報登録サーバ４へ送信する処理を行い、その後ステップＳ７０に進む。
【００７７】
ステップＳ７０では、不審者情報登録サーバ４から送信された不審者照合結果を受信する処理を行い、その後ステップＳ７１に進む。ステップＳ７１では、不審者照合結果が、不審者であるか（不審者と一致しているか）否かを判断し、不審者であると判断すればステップＳ７２に進む。ステップＳ７２では、警察・公安又は警備会社などの外部通報機関５に、不審者が乗車してきた情報を通報する処理を行い、その後ステップＳ７４に進む。一方ステップＳ７１において、不審者でなかった（不審者と不一致）と判断すればステップＳ７３に進み、誤って乗車してきたことを表示部６０に表示する報知処理を行い、その後ステップＳ７４に進む。ステップＳ７４では、乗車客カウンタＫ３はＫ３のままで、未帰還の乗客数（Ｋ２−Ｋ３）と車内にいる乗客数（Ｋ１−Ｋ２＋Ｋ３）を求める処理を行い、その後ステップＳ２９に進む。
【００７８】
なお、複数台のバスで旅行している場合には、ステップＳ７３において、別のバスに装備された乗客管理装置１Ａに当該人の顔画像を送信し、各バスの乗客管理装置１Ａで画像照合処理を行い、それらの照合結果を受信して報知する処理を行ってもよい。係る構成によれば、乗車してきた人がバスを間違えていた場合には、乗車すべきバスを速やかに知らせることができる。
【００７９】
上記実施の形態（２）に係る乗客管理装置１Ａによれば、上記実施の形態（１）に係る乗客管理装置１と同様の効果が得られる。さらに、乗客管理装置１Ａによれば、乗客数検出部５１ａによる乗客数の検出処理や乗降客照合部５２ａによる乗降客の照合処理において、画像情報とともに乗降客の指紋情報を用いることができる。これにより、乗客数の検出精度や帰還時等における乗降客の照合精度をさらに高めることができ、精度の高い乗客管理を行うことができる。
【００８０】
また、乗客管理装置１Ａによれば、上記ステップＳ６２、Ｓ６５における照合結果が不一致であった（降車客でない人が乗車してきた）場合に、不審者情報登録サーバ４に当該人の画像を送信する。そして、不審者情報データベース４ａに登録された不審者情報と照合した結果（顔認証結果）を受信して報知するとともに、不審者であった場合に外部通報機関５に通報する。したがって、乗務員等は、誤乗車や不審者の乗車をいち早く把握することができる。特に不審者の場合には、乗客の安全を確保する対策を速やかに講じることができる。また、外部通報機関５に通報することにより、警官や警備担当者が速やかに駆け付けることが可能となり、不審者を早期に確保できる。
【００８１】
図８は、実施の形態（３）に係る乗客管理装置１Ｂの概略構成を示したブロック図である。但し、実施の形態（１）に係る乗客管理装置１と同様の構成部分については、同符号を付して、その説明を省略する。
実施の形態（３）に係る乗客管理装置１Ｂでは、２つの乗車客用カメラ１０、１１を備え、バスに乗車する客を異なる方向（角度）から撮像し、２方向から撮像された複数の画像に基づいて乗車する客の立体画像を生成する機能を備えている。また、２つの降車客用カメラ２０、２１を備え、バスから降車する客を異なる方向（角度）から撮像し、２方向から撮像された複数の画像に基づいて降車する客の立体画像を生成する機能を備えている。これら立体画像を用いて、乗車後に降車した客と、降車後に乗車してきた客とを照合する機能を備えている。
【００８２】
実施の形態（３）に係る乗客管理装置１Ｂは、乗車客用カメラ１０、１１、立体画像生成部１３、降車客用カメラ２０、２１、立体画像生成部２３、時計部３０、記憶部４０Ｂ、マイコン５０Ｂ、表示部６０、通信部７０、及び操作部８０を含んで構成されている。なお、乗車客用カメラ１０、１１と降車客用カメラ２０、２１の代わりに、３Ｄ画像を生成する３Ｄカメラをそれぞれ採用してもよい。
【００８３】
立体画像生成部１３は、乗車客用カメラ１０、１１により２方向から撮像された複数の画像に基づいて乗車客の立体画像（特に顔の立体（３Ｄ）画像）を生成する画像処理プロセッサを含んで構成されている。全方向（あらゆる方向）から見た乗車客の顔の画像（立体画像）を再現することができる。
立体画像生成部２３は、降車客用カメラ２０、２１により２方向から撮像された複数の画像に基づいて乗車客の立体画像（特に顔の立体（３Ｄ）画像）を生成する画像処理プロセッサを含んで構成されている。全方向（あらゆる方向）から見た降車客の顔の画像（立体画像）を再現することができる。
【００８４】
記憶部４０Ｂは、乗車客画像記憶部４１Ｂと降車客画像記憶部４２Ｂとを含んで構成されている。乗車客画像記憶部４１Ｂには、立体画像生成部１３で生成された乗車する客の顔を含む立体画像が撮像時刻と関連付けて記憶される。降車客画像記憶部４２Ｂには、立体画像生成部２３で生成された降車する客の顔を含む立体画像が撮像時刻と関連付けて記憶される。
【００８５】
マイコン５０Ｂには、乗車客画像記憶部４１Ｂと降車客画像記憶部４２Ｂに記憶された情報に基づいて、乗客数を検出する乗客数検出部５１ａと、乗客数報知部５１ｂとしての機能を備えている。また、乗車客画像記憶部４１Ｂと降車客画像記憶部４２Ｂに記憶された情報に基づいて、乗車後に降車した客と該降車後に乗車してきた客とを照合（画像認識処理）する処理を行う乗降客照合部５２ａと、照合結果報知部５２ｂとしての機能を備えている。マイコン５０Ｂには、これら機能を実現するためのプログラムやデータが記憶されている。上記各報知処理は、表示部６０への表示だけでなく、図示しない音声出力部から合成音声を出力して報知してもよい。
【００８６】
乗客管理装置１Ｂは、タブレット端末などの携帯端末装置で構成することもできる。また、複数の携帯端末装置を用いたシステム又は３Ｄカメラを搭載した１つ以上の携帯端末装置で乗客管理装置１Ｂを構築することもできる。また、乗車客用カメラ１０、１１、立体画像生成部１３、降車客用カメラ２０、２１、立体画像生成部２３、及び時計部３０と、記憶部４０Ｂ及びマイコン５０Ｂを含む他の構成部分とが別体で構成され、互いに通信により情報のやり取りを行う構成とすることもできる。
【００８７】
図９は、実施の形態（３）に係る乗客管理装置１Ｂにおけるマイコン５０Ｂの行う処理動作を示したフローチャートである。本処理動作は、例えば、出発地点などで乗車予定（予約）の客をバスに乗車させるときに実行される。なお、図２に示した処理動作と同様の処理動作には、同符号を付し、その説明を省略する。
【００８８】
まずステップＳ１では、乗車客用カメラ１０、１１を起動する処理を行い、次に乗客数カウンタＫ１を０にセットし（ステップＳ２）、その後、撮像処理を開始する（ステップＳ３）。ステップＳ４では、撮像した画像から人の顔を検出したか否かを判断し、人の顔を検出したと判断すればステップＳ８１に進む。
【００８９】
ステップＳ８１では、乗車客用カメラ１０、１１により２方向から撮像された複数の画像に基づいて乗車客の立体画像、例えば、乗車客の顔の立体画像を生成する処理を行う。次のステップＳ８２では、生成された乗車客の顔を含む立体画像を撮像時刻と関連付けて乗車客画像記憶部４１Ｂに記憶する処理を行い、その後ステップＳ６に進む。ステップＳ６〜Ｓ９の処理動作は、図２に示したステップＳ６〜Ｓ９の処理動作と同様であるので、その説明を省略する。
【００９０】
図１０は、実施の形態（３）に係る乗客管理装置１Ｂにおけるマイコン５０Ｂの行う処理動作を示したフローチャートである。（ａ）は、例えば、休憩地点や観光地点などで乗客がバスから降車するときに実行される処理動作、（ｂ）は、例えば、休憩地点や観光地点などで降車した乗客がバスに再乗車するときに実行される処理動作を示している。なお、図３（ａ）、（ｂ）に示した処理動作と同様の処理動作には、同符号を付しその説明を省略する。
【００９１】
図１０（ａ）に示すステップＳ１１では、降車客用カメラ２０を起動する処理を行い、次に降車客カウンタＫ２を０にセットし（ステップＳ１２）、その後、撮像処理を開始する（ステップＳ１３）。次のステップＳ１４では、撮像した画像から降車する人の顔を検出したか否かを判断し、人の顔を検出したと判断すればステップＳ９１に進む。
【００９２】
ステップＳ９１では、降車客用カメラ２０、２１により２方向から撮像された複数の画像に基づいて降車客の立体画像、例えば、降車客の顔の立体画像を生成する処理を行う。次のステップＳ９２では、生成された降車客の顔を含む立体画像を撮像時刻と関連付けて降車客画像記憶部４２Ｂに記憶する処理を行い、その後ステップＳ１６に進む。ステップＳ１６〜Ｓ１９の処理動作は、図３（ａ）に示したステップＳ１６〜Ｓ１９の処理動作と同様であるので、その説明を省略する。
【００９３】
次に図１０（ｂ）に示すステップＳ２１では、乗車客用カメラ１０を起動する処理を行い、次に乗車客カウンタＫ３を０にセットし（ステップＳ２２）、その後、撮像処理を開始する（ステップＳ２３）。ステップＳ２４では、乗車してくる人の顔を検出したか否かを判断し、人の顔を検出したと判断すればステップＳ１０１に進む。
【００９４】
ステップＳ１０１では、乗車客用カメラ１０、１１により２方向から撮像された複数の画像に基づいて乗車客の立体画像、例えば、乗車客の顔の立体画像を生成する処理を行う。次のステップＳ１０２では、当該乗車客の顔を含む立体画像と、降車客画像記憶部４２Ｂに記憶された降車客の顔の立体画像とを照合する処理（顔の立体画像による認証処理）を行う。
【００９５】
顔の立体画像照合処理では、例えば、当該乗車客の顔の立体画像と、降車客画像記憶部４２Ｂに記憶された降車客の顔の立体画像とをそれぞれ比較する。比較の際には、例えば、各立体画像から顔の特徴、例えば、目、鼻、口、等の位置、大きさ、高さ、顔の輪郭などの立体的な特徴点を抽出する。そして、これらの特徴点を比較して、これら特徴点の類似度合いに基づいて同一人か否かを判断する顔認証処理を適用できる。他の手法による顔認証技術を適用することもできる。
【００９６】
次のステップＳ１０３では、当該人の顔の立体画像が、降車客画像記憶部４２Ｂに記憶されている降車客の顔の立体画像と一致したか否かを判断し、一致したと判断すればステップＳ１０４に進む。ステップＳ１０４では、当該人の顔を含む立体画像を撮像時刻と関連付けて乗車客画像記憶部４１Ｂに記憶する処理を行い、その後ステップＳ２８に進む。ステップＳ２８〜Ｓ３１の処理動作は、図３（ｂ）に示したステップＳ２８〜Ｓ３１の処理動作と同様であるので、その説明を省略する。
【００９７】
上記実施の形態（３）に係る乗客管理装置１Ｂによれば、上記実施の形態（１）に係る乗客管理装置１と同様の効果が得られる。さらに、乗客管理装置１Ｂによれば、乗降客の顔の立体画像（３Ｄ画像）を生成し、乗降客照合部５２ａによって、乗車後に降車した乗客の顔の立体画像と降車後に乗車した乗客の顔の立体画像とが照合されるので、平面画像どうしを照合する場合と比較して、照合精度（顔認証精度）を略１００％に近い確率まで向上させることができる。
【００９８】
図１１は、実施の形態（４）に係る乗客管理装置１Ｃの概略構成を示したブロック図である。但し、実施の形態（１）に係る乗客管理装置１と同様の構成部分については、同符号を付して、その説明を省略する。
実施の形態（４）に係る乗客管理装置１Ｃでは、乗車チケットに記載されたコード（バーコード、２次元コードなど）を読み取るコード読取部３２を備えている。そして、コードに記憶された乗客情報（乗客の氏名、座席位置、携帯端末装置の連絡先情報など）を乗客情報記憶部４３に記憶し、乗客情報と、乗車客画像記憶部４１や降車客画像記憶部４２に記憶された情報とを関連付けて、バスの空席情報を検出して報知する処理を行う機能を備えている。また、乗降客照合部５２ａによる照合結果、予定時刻（出発予定時刻）に帰還していない乗客の携帯端末装置６に位置情報要求信号を送信し、携帯端末装置６から受信した位置情報を報知する処理を行う機能を備えている。携帯端末装置６には、携帯電話やスマートフォンが含まれる。
【００９９】
実施の形態（４）に係る乗客管理装置１Ｃは、乗車客用カメラ１０、降車客用カメラ２０、時計部３０、コード読取部３２、記憶部４０Ｃ、マイコン５０Ｃ、表示部６０、通信部７０Ｃ、及び操作部８０を含んで構成されている。
【０１００】
コード読取部３２は、乗車チケットに記載されたコード（バーコード、２次元コードなど）を光学的に読み取る装置であり、専用の読取装置の他、読取機能（読取用アプリケーションプログラム）が搭載された携帯端末装置などを使用することもできる。コード読取部３２は、乗車する客が乗車チケットをかざしやすい場所に設置すればよく、または、乗務員がコード読取部３２を手に持って乗車チケットにかざしてもよい。
【０１０１】
記憶部４０Ｃは、乗車客画像記憶部４１と降車客画像記憶部４２の他に、コード読取部３２で読み取られたコードに記録されている乗客情報（例えば乗客の氏名や座席位置など）が記憶される乗客情報記憶部４３を含んで構成されている。
【０１０２】
マイコン５０Ｃには、乗客数検出部５１ａ、乗客数報知部５１ｂ、乗降客照合部５２ａ、及び照合結果報知部５２ｂとしての機能を備えている。さらに、乗客情報関連付け部５４ａ、空席情報検出部５４ｂ、空席情報報知部５４ｃ、空席数判断部５４ｄ、判断結果報知部５４ｅ、及び位置情報報知部５５としての機能を備えている。マイコン５０Ｃには、これら機能を実現するためのプログラムやデータが記憶されている。
【０１０３】
乗客情報関連付け部５４ａは、乗車客画像記憶部４１及び降車客画像記憶部４２に記憶された情報と、乗客情報記憶部４３に記憶された情報（乗客の氏名及び座席位置を含む）とを関連付ける処理を行う。空席情報検出部５４ｂは、乗客情報関連付け部５４ａで関連付けられた情報に基づいて、バスの空席位置及び空席数を検出する処理を行う。空席情報報知部５４ｃは、空席情報検出部５４ｂで検出された空席位置及び／又は空席数を表示部６０に表示する報知処理を行う。空席数判断部５４ｄは、乗客数検出部５１ａで検出された乗客数に対して、空席情報検出部５４ｂで検出された空席数が合っているか否かを判断する処理を行う。判断結果報知部５４ｅは、空席数判断部５４ｄによる判断結果を表示部６０に表示して報知処理を行う。また、位置情報報知部５５は、乗客が所持する携帯端末装置６から通信ネットワーク２を介して受信した位置情報を表示部６０に表示して報知する処理を行う。上記各報知処理は、表示部６０への表示だけでなく、図示しない音声出力部から合成音声を出力して報知してもよい。
【０１０４】
通信部７０Ｃには、位置情報要求信号送信部７４と、位置情報受信部７５としての機能を備えている。位置情報要求信号送信部７４は、乗降客照合部５２ａによる照合結果、予定時刻（出発予定時刻）に帰還していない乗客の携帯端末装置６に位置情報要求信号を送信する機能を備えている。位置情報受信部７５は、携帯端末装置６から送信された位置情報を受信する機能を備えている。
【０１０５】
乗客管理装置１Ｃは、例えば、カメラ部、コード読取部（アプリケーション）、及び無線通信部を搭載しているタブレット端末などの携帯端末装置で構成することもでき、また、複数の携帯端末装置を用いたシステムにより乗客管理装置１Ｃを構築することもできる。また、乗車客用カメラ１０、降車客用カメラ２０、時計部３０及びコード読取部３２と、記憶部４０Ｃ及びマイコン５０Ｃを含む他の構成部分とが別体で構成され、互いに通信により情報のやり取りを行う構成とすることもできる。
【０１０６】
図１２は、実施の形態（４）に係る乗客管理装置１Ｃにおけるマイコン５０Ｃの行う処理動作を示したフローチャートである。本処理動作は、例えば、出発地点などで乗車予定の客（ツアー客）をバスに乗車させるときに実行される。なお、図２に示した処理動作と同様の処理動作には、同符号を付しその説明を省略する。
【０１０７】
まずステップＳ１では、乗車客用カメラ１０を起動する処理を行い、次に乗客数カウンタＫ１を０にセットし（ステップＳ２）、その後、撮像処理を開始する（ステップＳ３）。ステップＳ４では、撮像した画像から人の顔を検出したか否かを判断し、人の顔を検出したと判断すればステップＳ５に進み、当該人の顔を含む画像を撮像時刻と関連付けて乗車客画像記憶部４１に記憶する処理を行い、ステップＳ１１１に進む。
【０１０８】
次のステップＳ１１１では、コード読取部３２で乗車チケットのコード読取を行い、ステップＳ１１２では、読み取ったコードに記憶されている乗客情報（氏名及び座席位置を含む）を乗客情報記憶部４３に記憶し、その後ステップＳ１１３に進む。
ステップＳ１１３では、乗車客画像記憶部４１に記憶された情報と、乗客情報記憶部４３に記憶された乗客情報とを関連付ける処理を行う。例えば、乗車客画像と、氏名及び座席位置とを紐付けコード（データ）などで関連付ける処理を行い、その後ステップＳ６に進む。この処理により撮像された画像と、氏名及び座席位置とが関連付けされる。
【０１０９】
次のステップＳ６では、乗客数カウンタＫ１に１を加算し、次のステップＳ７では、乗客数を表示部６０に表示する報知処理を行い、その後ステップＳ１１４に進む。ステップＳ１１４では、ステップＳ１１３で関連付けられた情報に基づいてバスの空席位置及び空席数を検出する処理を行い、その後ステップＳ１１５に進む。ステップＳ１１５では、前記検出された空席位置及び／又は空席数を表示部６０に表示する報知処理を行い、その後ステップＳ８に進む。
【０１１０】
次のステップＳ８では、乗車予定の全員の乗車が完了したか否かを判断し、乗客の乗車が完了していないと判断すればステップＳ４に戻る。一方ステップＳ８において、全員の乗車が完了したと判断すればステップＳ９に進み、乗客数カウンタＫ１を乗客数として記憶し、その後処理を終える。
【０１１１】
図１３、１４は、実施の形態（４）に係る乗客管理装置１Ｃにおけるマイコン５０Ｃの行う処理動作を示したフローチャートである。図１３は、例えば、休憩地点や観光地点などで乗客がバスから降車するときに実行される処理動作、図１４は、例えば、休憩地点や観光地点などで降車した乗客がバスに再乗車するときに実行される処理動作を示している。なお、図３（ａ）、（ｂ）に示した処理動作と同様の処理動作には、同符号を付しその説明を省略する。
【０１１２】
図１３に示すステップＳ１１では、降車客用カメラ２０を起動する処理を行い、次に降車客カウンタＫ２を０にセットし（ステップＳ１２）、その後、撮像処理を開始する（ステップＳ１３）。次のステップＳ１４では、撮像した画像から降車する人の顔を検出したか否かを判断し、人の顔を検出したと判断すればステップＳ１５に進む。ステップＳ１５では、当該人の顔を含む画像を撮像時刻と関連付けて降車客画像記憶部４２に記憶する処理を行い、その後ステップＳ１２１に進む。
【０１１３】
ステップＳ１２１では、撮像した降車客画像を乗車客画像記憶部４１に記憶されている乗車客画像と照合（顔認証処理）し、次のステップＳ１２２では、降車客画像に一致する乗車客画像を抽出する。次のステップＳ１２３では、抽出した乗車客画像に関連付けられた乗客情報と降車客画像とを関連付ける処理を行い、その後ステップＳ１６に進む。
【０１１４】
次のステップＳ１６では、降車客カウンタＫ２に１を加算するとともに、Ｋ１からＫ２を減算する処理を行う。次のステップＳ１７では、降車客数（Ｋ２の値）と車内に残っている乗客数（Ｋ１−Ｋ２の値）を表示部６０に表示する報知処理を行い、ステップＳ１２４に進む。
【０１１５】
次のステップＳ１２４では、ステップＳ１２３で関連付けられた情報に基づいてバスの空席位置及び空席数を検出する処理を行った後ステップＳ１２５に進む。ステップＳ１２５では、前記検出された空席位置及び／又は空席数を表示部６０に表示して報知する処理を行い、その後ステップＳ１８に進む。
【０１１６】
次のステップＳ１８では、車内に残っている乗客数（Ｋ１−Ｋ２）が０になったか否かを判断し、車内に残っている乗客数（Ｋ１−Ｋ２）が０になっていないと判断すればステップＳ１４に戻る。一方ステップＳ１８において、車内に残っている乗客数が０になったと判断すれば、降車客カウンタＫ２を降車客数として記憶し（ステップＳ１９）、その後処理を終える。
【０１１７】
図１４に示すステップＳ２１〜Ｓ２７の処理動作は、図３（ｂ）に示したステップＳ２１〜Ｓ２７の処理動作と同様であるので、その説明を省略する。
ステップＳ２７において、当該人の顔を含む画像を撮像時刻と関連付けて乗車客画像記憶部４１に記憶する処理を行い、その後ステップＳ１３１に進む。ステップＳ１３１では、ステップＳ２５の処理で一致した降車客画像に関連付けられた乗客情報と、当該人の顔を含む画像（乗車客画像）とを関連付ける処理を行い、その後ステップＳ２８に進む。
【０１１８】
ステップＳ２８では、乗車客カウンタＫ３に１を加算するとともに、未帰還の乗客数（Ｋ２−Ｋ３）と車内にいる乗客数（Ｋ１−Ｋ２＋Ｋ３）を求める処理を行う。次のステップＳ２９では、未帰還の乗客数（Ｋ２−Ｋ３）と車内にいる乗客数（Ｋ１−Ｋ２＋Ｋ３）を表示部６０に表示する報知処理を行い、その後ステップＳ１３２に進む。
【０１１９】
次のステップＳ１３２では、ステップＳ１３１等で関連付けられた情報に基づいてバスの空席位置及び空席数を検出する処理を行い、その後ステップＳ１３３に進む。ステップＳ１３３では、前記検出された空席位置及び／又は空席数を表示部６０に表示する報知処理を行い、その後ステップＳ１３４に進む。ステップＳ１３４では、帰還予定時刻（出発予定時刻）になったか否かを判断し、帰還予定時刻になっていない場合はステップＳ２４に戻る一方、帰還予定時刻になった場合はステップＳ３０に進む。ステップＳ３０では、未帰還の乗客数（Ｋ２−Ｋ３）が０になったか否かを判断する。
【０１２０】
ステップＳ３０において、未帰還の乗客数が０ではない（未帰還の乗客がいる）と判断すればステップＳ１３５に進む。ステップＳ１３５では、前記空席位置から未帰還の乗客情報を抽出して、未帰還の乗客の携帯端末装置６に位置情報要求信号を送信する処理を行い、その後ステップＳ１３６に進む。未帰還の乗客の携帯端末装置６は、位置情報要求信号を受信すると、現在位置情報を乗客管理装置１Ｃへ送信する処理が行われるようになっている。
【０１２１】
ステップＳ１３６では、未帰還の乗客の携帯端末装置６から送信されてきた位置情報を受信し、次のステップＳ１３７では、未帰還の乗客の位置情報（例えば、地図上の位置）を表示部６０に表示する報知処理を行い、その後ステップＳ２４に戻る。
一方ステップＳ３０において、未帰還の乗客数（Ｋ２−Ｋ３）が０になったと判断すればその後処理を終える。
【０１２２】
上記実施の形態（４）に係る乗客管理装置１Ｃによれば、上記実施の形態（１）に係る乗客管理装置１と同様の効果が得られる。さらに、乗客管理装置１Ｃによれば、乗客情報関連付け部５４ａにより、乗車した客の画像及び降車した客の画像と、乗客の氏名、座席位置及び連絡先情報とが関連付け（紐付け）されるので、乗客数だけでなく、バスの空席位置及び空席数を管理することができる。さらに乗客数に対して空席数が合っているか否かを判断し、その判断結果が報知されるので、乗客数に対して空席数が合っていない場合、乗務員は乗客数の確認を速やかに行うことができ、乗客数の検出漏れまたは二重検出がされたことを確認することができる。
また乗客管理装置１Ｃによれば、帰還予定時刻に帰還していない乗客の携帯端末装置６に位置情報要求信号を送信し、携帯端末装置６から送信される位置情報を受信し、該受信した位置情報を報知する。したがって、乗務員等は予定時刻に帰還していない乗客の位置を把握することができる。また、未帰還の乗客の位置情報を経時的に受信することにより、帰還していない乗客の帰還状態（例えば、バスに向かっている状態など）も把握することができる。
【０１２３】
図１５は、実施の形態（５）に係る乗客管理装置１Ｄの概略構成を示したブロック図である。但し、実施の形態（４）に係る乗客管理装置１Ｃと同様の構成部分については、同符号を付して、その説明を省略する。
実施の形態（４）に係る乗客管理装置１Ｃでは、コード読取部３２で乗車チケットのコードを読み取り、コードに記録されている乗客情報を記憶する構成となっている。一方、実施の形態（５）に係る乗客管理装置１Ｄでは、乗車客用カメラ１０で撮像された画像を含む照合指示データを乗客情報データベースサーバ７に送信し、乗客情報データベースサーバ７から受信した乗客情報を乗車客画像や降車客画像と関連付ける構成になっている。
【０１２４】
また、実施の形態（４）に係る乗客管理装置１Ｃでは、帰還予定時刻までに未帰還の乗客に対して位置情報を要求するようになっている。一方、実施の形態（５）に係る乗客管理装置１Ｄでは、降車客の携帯端末装置６から位置情報を定期的に受信し、該位置情報から帰還予定時刻までに帰還できないと判断した場合に呼出信号を送信する構成になっている。
【０１２５】
実施の形態（５）に係る乗客管理装置１Ｄは、乗車客用カメラ１０、降車客用カメラ２０、時計部３０、記憶部４０Ｄ、マイコン５０Ｄ、表示部６０、通信部７０Ｄ、及び操作部８０を含んで構成されている。
【０１２６】
通信部７０Ｄは、乗車客用カメラ１０で撮像された画像を含む照合指示データを乗客情報データベースサーバ７に送信する照合指示データ送信部７６と、乗客情報データベースサーバ７から送信された照合結果を受信する照合結果受信部７７とを備えている。乗客情報データベースサーバ７は、乗客の氏名、座席位置、携帯端末装置６の連絡先、及び顔画像を含む乗客情報を登録するデータベース７ａを備え、サーバコンピュータで構成されている。乗客情報データベースサーバ７は、乗客管理装置１Ｄから画像を含む照合指示データを受信すると、受信した画像と、データベース７ａに登録されている顔画像とを照合（顔認証処理）し、その照合結果を乗客管理装置１Ｄへ送信する機構を備えている。
さらに通信部７０Ｄは、乗客が所持する携帯端末装置６から送信される位置情報を受信する位置情報受信部７９と、予定時刻までに帰還することが難しい乗客の携帯端末装置６に呼出信号を送信する呼出信号送信部７８とを備えている。
【０１２７】
記憶部４０Ｄは、乗車客画像記憶部４１と降車客画像記憶部４２の他に、照合結果受信部７７で受信した乗客情報（例えば乗客の氏名、座席位置、携帯端末装置の連絡先情報など）が記憶される乗客情報記憶部４３Ａを含んで構成されている。
【０１２８】
マイコン５０Ｄには、乗客数検出部５１ａ、乗客数報知部５１ｂ、乗降客照合部５２ａ、及び照合結果報知部５２ｂとしての機能を備えている。さらに、乗客情報関連付け部５４ａ、空席情報検出部５４ｂ、空席情報報知部５４ｃ、空席数判断部５４ｄ、判断結果報知部５４ｅ、及び位置情報報知部５５としての機能と、帰還可否判断部５６及び位置情報報知部５７としての機能を備えている。マイコン５０Ｄには、これら機能を実現するためのプログラムやデータが記憶されている。
【０１２９】
乗客情報関連付け部５４ａは、乗車客画像記憶部４１及び降車客画像記憶部４２に記憶された情報と、乗客情報記憶部４３Ａに記憶された乗客情報（乗客の名前、座席位置、携帯端末装置の連絡先情報を含む）とを関連付ける処理を行う。例えば、照合結果受信部７７で受信した照合結果が、データベース７ａに登録されている客の顔画像と一致している場合に、乗車客用カメラ１０で撮像された画像と、照合結果とともに受信した前記乗客情報とを関連付ける処理を行う。
【０１３０】
帰還可否判断部５６は、降車客が所持する携帯端末装置６から通信ネットワーク２を介して送信されてきた位置情報に基づいて、帰還予定時刻までにバスに帰還できるか否かを判断する。帰還予定時刻までに帰還できないと判断した場合には、呼出信号送信部７８から当該客の携帯端末装置６に呼出信号を送信する指令を行う。また、位置情報報知部５７は、降車客の携帯端末装置６から受信した位置情報を表示部６０に表示する報知処理を行う。上記各報知処理は、表示部６０への表示だけでなく、図示しない音声出力部から合成音声を出力して報知してもよい。
【０１３１】
乗客管理装置１Ｄは、例えば、カメラ部、及び無線通信部を搭載しているタブレット端末などの携帯端末装置で構成することもでき、また、複数の携帯端末装置を用いたシステムにより乗客管理装置１Ｄを構築することもできる。また、乗車客用カメラ１０、降車客用カメラ２０、及び時計部３０と、記憶部４０Ｄ及びマイコン５０Ｄを含む他の構成部分とが別体で構成され、互いに通信により情報のやり取りを行う構成とすることもできる。
【０１３２】
図１６は、実施の形態（４）に係る乗客管理装置１Ｄにおけるマイコン５０Ｄの行う処理動作を示したフローチャートである。本処理動作は、例えば、出発地点などで乗車予定の客をバスに乗車させるときに実行される。なお、図１２に示した処理動作と同様の処理動作には、同符号を付しその説明を省略する。
【０１３３】
まずステップＳ１では、乗車客用カメラ１０を起動する処理を行い、次に乗客数カウンタＫ１を０にセットし（ステップＳ２）、その後、撮像処理を開始する（ステップＳ３）。ステップＳ４では、撮像した画像から人の顔を検出したか否かを判断し、人の顔を検出したと判断すればステップＳ１４１に進む。
【０１３４】
ステップＳ１４１では、撮像した画像を含む照合指示データを乗客情報データベースサーバ７に送信する処理を行い、その後、ステップＳ１４２において、乗客情報データベースサーバ７から照合結果を受信し、ステップＳ１４３に進む。照合結果には、一致又は不一致の結果情報、また、一致している場合には、該一致した画像に関連付けて登録されている氏名、座席位置、携帯端末装置の連絡先情報を含む乗客情報が含まれる。
【０１３５】
次のステップＳ１４３では、照合結果が一致であったか否か、すなわち、撮像した画像がデータベース７ａに登録されている客の画像と一致していたか否かを判断する。ステップＳ１４３において、照合結果が一致であったと判断すればステップＳ１４４に進み、当該人の顔を含む画像を撮像時刻と関連付けて乗車客画像記憶部４１に記憶する処理を行う。次のステップＳ１４５では、照合結果に含まれている乗客情報を乗客情報記憶部４３Ａに記憶する処理を行う。ステップＳ１４６では、乗車客画像記憶部４１に記憶された情報と、乗客情報記憶部４３Ａに記憶された乗客情報とを関連付ける処理を行い、ステップＳ６に進む。ステップＳ６〜Ｓ９の処理動作は、図１２に示したステップＳ６〜Ｓ９の処理動作と同様であるので、その説明を省略する。
【０１３６】
一方ステップＳ１４３において、照合結果が一致ではない（不一致）と判断すればステップＳ１４７に進み、乗車してきた客が乗車予定の客ではないこと表示部６０に表示する報知処理を行う。次のステップＳ１４８では、乗客数カウンタＫ１は加算せずに、ステップＳ７以降の処理に進む。
【０１３７】
図１７は、実施の形態（５）に係る乗客管理装置１Ｄにおけるマイコン５０Ｄの行う処理動作を示したフローチャートである。本処理動作は、例えば、休憩地点や観光地点などで降車した乗客がバスに再乗車するときに実行される処理動作を示している。なお、図１４に示した処理動作と同様の処理動作には、同符号を付しその説明を省略する。
【０１３８】
また、休憩地点や観光地点などで乗客がバスから降車するときに実行される処理動作は、図１３に示した実施の形態（４）に係る乗客管理装置１Ｄの処理動作と同様であるので、その説明を省略する。
【０１３９】
図１７に示すステップＳ２１〜Ｓ１３３の処理動作は、図１４に示したステップＳ２１〜Ｓ１３３の処理動作と同様であるので、その説明を省略する。
ステップＳ２４において、乗車してくる人の顔を検出していないと判断すれば、ステップＳ１５１に進み、降車した客の携帯端末装置６から送信された位置情報を受信したか否かを判断する。ステップＳ１５１において、位置情報を受信していないと判断すればステップＳ３０に進む一方、位置情報を受信したと判断すればステップＳ１５２に進み、受信した位置情報を表示部６０に表示する報知処理を行う。
【０１４０】
次のステップＳ１５３では、位置情報（バスの位置と乗客の現在位置との距離）に基づいて、予定時刻までに帰還可能か否かを判断し、帰還可能と判断すればステップＳ３０に進む。一方ステップＳ１５３において、帰還不可能と判断すればステップＳ１５４に進み、当該客の携帯端末装置６に呼出信号を送信する処理を行い、その後ステップＳ３０に進む。呼出信号は、帰還を促すための信号であり、電話の発呼信号、電子メールなどのメッセージ通知などが含まれる。
ステップＳ３０では、未帰還の乗客数（Ｋ２−Ｋ３）が０になったか否かを判断し、未帰還の乗客数が０ではない（未帰還の乗客がいる）と判断すればステップＳ２４に戻る一方、未帰還の乗客数が０であると判断すれば、その後処理を終える。
【０１４１】
上記実施の形態（５）に係る乗客管理装置１Ｄによれば、上記実施の形態（４）に係る乗客管理装置１Ｃと同様の効果が得られる。さらに、乗客管理装置１Ｄによれば、乗車してきた客の画像を含む照合指示データが乗客情報データベースサーバ７に送信され、乗客情報データベースサーバ７から照合結果を受信し、照合結果が一致した場合に、照合結果とともに受信した乗客情報を記憶し、該乗客情報と乗車客の画像とが関連付けられる。したがって、出発地点等において、バスに乗客が乗車する際に、乗務員が乗客の氏名や乗車チケット等を乗客に直接確認しなくても、乗車してきた客の画像から乗客情報を自動的に関連付けることができる。そのため、乗務員の手間を省くことができ、利便性を高めることができる。
【０１４２】
また、乗客管理装置１Ｄによれば、降車した客から位置情報を所定間隔で受信し、該位置情報から予定時刻までに帰還できないと判断した場合に、帰還できない客の携帯端末装置６に呼出信号を送信する。したがって、未帰還の乗客の位置に応じて呼出信号を送信するタイミングを調整することができ、予定時刻までに帰還できるように適切なタイミングで呼出を行うことができ、乗客の帰還が大幅に遅れることを防止することができる。
【０１４３】
図１８は、実施の形態（６）に係る乗客管理装置１Ｅの概略構成を示したブロック図である。但し、実施の形態（４）に係る乗客管理装置１Ｃと同様の構成部分については、同符号を付して、その説明を省略する。
【０１４４】
実施の形態（４）に係る乗客管理装置１Ｃでは、コード読取部３２で乗車チケットのコードを読み取り、コードに記録されている乗客情報を記憶する構成となっている。一方、実施の形態（６）に係る乗客管理装置１Ｅでは、乗客情報記憶部４３Ｂに乗車予定客の氏名及び座席位置が予め登録されている。そして、乗車客用カメラ１０で撮像された画像を含む照合指示データを個人情報データベースサーバ８に送信し、個人情報データベースサーバ８から照合結果を受信し、該照合結果が一致の場合に含まれる個人情報（氏名）と同じ氏名が乗客情報記憶部４３Ｂに登録されている場合に、該乗客情報と乗車客画像とを関連付ける構成になっている。
また実施の形態（６）に係る乗客管理装置１Ｅでは、乗客から預かった荷物情報を登録し、予定時刻までに帰還していない乗客の荷物がある場合、該荷物の確認や移動を促す報知処理を行う構成となっている。
【０１４５】
実施の形態（６）に係る乗客管理装置１Ｅは、乗車客用カメラ１０、降車客用カメラ２０、時計部３０、記憶部４０Ｅ、マイコン５０Ｅ、表示部６０、通信部７０Ｅ、及び操作部８０を含んで構成されている。
【０１４６】
通信部７０Ｅは、乗車客用カメラ１０で撮像された画像を含む照合指示データを個人情報データベースサーバ８に送信する照合指示データ送信部７６Ａと、個人情報データベースサーバ８で照合された結果を受信する照合結果受信部７７Ａとを備えている。
個人情報データベースサーバ８は、個人を特定可能な個人番号、氏名及び顔画像を含む特定個人情報（例えば、マイナンバーを含む個人情報）などを登録するデータベース８ａを備え、サーバコンピュータで構成されている。
記憶部４０Ｄは、乗車客画像記憶部４１と降車客画像記憶部４２の他に、乗車予定客の氏名及び座席位置を含む乗客情報が予め記憶されている乗客情報記憶部４３Ｂを含んで構成されている。照合結果受信部７７Ａで受信した個人情報（例えば、少なくとも氏名を含む）と乗客情報記憶部４３Ｂに記憶された乗客情報（例えば、氏名）とが照合される。
【０１４７】
マイコン５０Ｄには、乗客数検出部５１ａ、乗客数報知部５１ｂ、乗降客照合部５２ａ、及び照合結果報知部５２ｂとしての機能を備えている。さらに、乗客情報関連付け部５４ａ、空席情報検出部５４ｂ、空席情報報知部５４ｃ、空席数判断部５４ｄ、及び判断結果報知部５４ｅとしての機能と、荷物判断部５８ａ及び荷物報知部５８ｂとしての機能を備えている。マイコン５０Ｄは、これら機能を実現するためのプログラムやデータが記憶されている。
【０１４８】
乗客情報関連付け部５４ａは、乗車客画像記憶部４１及び降車客画像記憶部４２に記憶された情報と、乗客情報記憶部４３Ｂに記憶された情報（乗客の氏名及び座席位置）とを関連付ける処理を行う。例えば、照合結果受信部７７Ａで受信した照合結果が、データベース８ａに登録されている個人の顔画像と一致するとともに、照合結果に含まれる個人情報（氏名）と同じ氏名が乗客情報記憶部４３Ｂに登録されている場合に、当該乗客の情報（乗客の氏名及び座席位置など）と乗車客用カメラ１０で撮像された画像とを関連付ける処理を行う。また、照合結果受信部７７Ａで受信した照合結果が、データベース８ａに登録されている個人情報（顔画像）と一致している場合に、乗車客用カメラ１０で撮像された画像と、照合結果とともに受信した個人情報（氏名など）を関連付ける処理を行ってもよい。係る構成によれば、乗車客の画像と氏名とを自動的に関連付けることができる。
【０１４９】
荷物判断部５８ａは、乗降客照合部５２ａによる照合結果、予定時刻に帰還していない乗客が検出された場合、荷物情報登録部４４に登録された荷物の情報に基づいて、帰還していない乗客の荷物があるか否かを判断する。荷物報知部５８ｂは、荷物判断部５８ａにおいて、帰還していない乗客の荷物があると判断した場合、当該乗客の荷物を確認し、又は移動を促す内容を表示部６０に表示する報知処理を行う。
【０１５０】
乗客管理装置１Ｅは、例えば、カメラ部及び無線通信部などを搭載しているタブレット端末などの携帯端末装置で構成することもできる。また、複数の携帯端末装置を用いたシステムにより乗客管理装置１Ｄを構築することもできる。また、乗車客用カメラ１０、降車客用カメラ２０、及び時計部３０と、記憶部４０Ｅ及びマイコン５０Ｅを含む他の構成部分とが別体で構成され、互いに通信により情報のやり取りを行う構成とすることもできる。
【０１５１】
図１９は、実施の形態（６）に係る乗客管理装置１Ｅにおけるマイコン５０Ｅの行う処理動作を示したフローチャートである。本処理動作は、例えば、出発地点などで乗車予定（予約）の客をバスに乗車させるときに実行される。なお、図１２に示した処理動作と同様の処理動作には、同符号を付しその説明を省略する。
【０１５２】
まずステップＳ１では、乗車客用カメラ１０を起動する処理を行い、次に乗客数カウンタＫ１を０にセットし（ステップＳ２）、その後、撮像処理を開始する（ステップＳ３）。ステップＳ４では、撮像した画像から人の顔を検出したか否かを判断し、人の顔を検出したと判断すればステップＳ１６１に進む。
【０１５３】
ステップＳ１６１では、当該撮像した画像を撮像時刻と関連付けて乗車客画像記憶部４１に記憶する処理を行いステップＳ１６２に進む。ステップＳ１６２では、撮像した画像を含む照合指示データを個人情報データベースサーバ８に送信する処理を行い、その後、ステップＳ１６３において、個人情報データベースサーバ８から照合結果を受信し、ステップＳ１６４に進む。照合結果には、撮像した画像とデータベース８ａに含まれている顔画像との一致又は不一致の結果情報が含まれ、一致している場合には、該一致した画像（顔画像）と関連付けて登録されている個人の情報（少なくとも氏名）も受信するようになっている。
【０１５４】
次のステップＳ１６４では、照合結果が個人情報と一致したか否か、すなわち、撮像した画像がデータベース８ａに登録されている個人の画像と一致したか否かを判断する。ステップＳ１６４において、照合結果が個人情報と一致したと判断すればステップＳ１６５に進み、照合結果とともに受信した個人の情報（少なくとも氏名を含む）と同じ情報（氏名等）が乗客情報記憶部４３Ｂの乗客情報の中に含まれているか否かを判断する。
【０１５５】
ステップＳ１６５において、前記乗客情報の中に前記個人の情報と同じ情報が含まれている（例えば、乗車予定客の氏名と一致する）と判断すればステップＳ１６６に進む。ステップＳ１６６では、ステップＳ１６１で乗車客画像記憶部４１に記憶された乗車客画像と、ステップＳ１６５で一致すると判断された乗客情報とを関連付ける処理を行い、ステップＳ６に進む。次のステップＳ６では、乗客数カウンタＫ１に１を加算し、ステップＳ１５９に進む。
【０１５６】
一方ステップＳ１６４において、照合結果が一致ではない（不一致）と判断すればステップＳ６に進む。また、ステップＳ１６５において、前記乗客情報の中に前記個人の情報と同じ情報が含まれていないと判断すればステップＳ１６７に進む。ステップＳ１６７では、乗車してきた客が乗車予定の客ではないことを表示部６０に表示する報知処理を行い、次のステップＳ１６８では、乗客数カウンタＫ１は加算せずに、ステップＳ１６９に進む。
【０１５７】
ステップＳ１６９では、当該乗客から預かった荷物に付した荷物コードの入力があったか否かを判断し、荷物コードの入力があったと判断すればステップＳ１７０に進む。ステップＳ１７０では、荷物コードと当該乗客の画像とを関連付けて荷物情報登録部４４に記憶する処理を行い、ステップＳ７に進む。一方ステップＳ１６９において荷物コードの入力がなかったと判断すればステップＳ７に進む。ステップＳ７〜Ｓ９の処理動作は、図１２に示したステップＳ７〜Ｓ９の処理動作と同様であるので、その説明を省略する。
【０１５８】
図２０は、実施の形態（６）に係る乗客管理装置１Ｅにおけるマイコン５０Ｅの行う処理動作を示したフローチャートである。本処理動作は、例えば、休憩地点や観光地点などで降車した乗客がバスに再乗車するときに実行される処理動作を示している。なお、図１４に示した処理動作と同様の処理動作には、同符号を付しその説明を省略する。
また、休憩地点や観光地点などで乗客をバスから降車させるときに実行される処理動作は、図１３に示した実施の形態（４）に係る乗客管理装置１Ｄの処理動作と同様であるので、その説明を省略する。
【０１５９】
図２０に示すステップＳ２１〜Ｓ１３４の処理動作は、図１４に示したステップＳ２１〜Ｓ１３４の処理動作と同様であるので、その説明を省略する。
ステップＳ１３４において帰還予定時刻になったと判断すればステップＳ３０に進み、ステップＳ３０では、未帰還の乗客数（Ｋ２−Ｋ３）が０になったか否かを判断し、未帰還の乗客数が０ではない（未帰還の乗客がいる）と判断すればステップＳ１８１に進む。
ステップＳ１８１では、未帰還の乗客リストを抽出し、次のステップＳ１８２では、未帰還の乗客情報と、荷物情報登録部４４に記憶されている情報とを照合して、未帰還者の荷物があるか否かを判断する。
【０１６０】
ステップＳ１８２において、未帰還者の荷物がないと判断すればその後ステップＳ２４に戻る一方、未帰還者の荷物があると判断すればステップＳ１８３に進む。ステップＳ１８３では、未帰還者の荷物を確認、車外に移動するように表示部６０に表示する報知処理を行い、その後ステップＳ２４に戻る。一方ステップＳ３０において、未帰還の乗客数が０であると判断すれば、その後処理を終える。
【０１６１】
上記実施の形態（６）に係る乗客管理装置１Ｅによれば、上記実施の形態（４）に係る乗客管理装置１Ｃと同様の効果が得られる。さらに、乗客管理装置１Ｅによれば、乗車してきた客の画像を含む照合指示データが個人情報データベースサーバ８に送信され、個人情報データベースサーバ８から照合結果を受信し、照合結果が一致した場合に、照合結果に含まれる個人情報（少なくとも氏名を含む）と乗客情報記憶部４３Ｂに記憶された乗客の情報（氏名）とが照合され、該照合により一致した乗客の氏名及び座席位置と、乗車客用カメラ１０で撮像された乗車客画像とが関連付けされる。したがって、出発地点等においてバスに客が乗車する際に、乗務員等が乗車する客の氏名や乗車チケット等を客に直接確認しなくても、撮像された乗車する客の画像から乗客情報（氏名及び座席位置など）を自動的に関連付けることができる。
【０１６２】
また上記乗客管理装置１Ｅによれば、予定時刻に帰還していない乗客が検出された場合、荷物情報登録部４４に登録された荷物の情報に基づいて、未帰還の乗客の荷物があるか否か判断される。そして、未帰還の乗客の荷物があると判断された場合、当該乗客の荷物を確認又は移動するように報知するので、未帰還の乗客の荷物が不審物等であった場合に、速やかに当該荷物をバスの外に移動することが可能となり、他の乗客の安全を確保することができ、また、不審物による事故の発生を防止することができる。
【０１６３】
本発明は、以上の実施の形態に限定されるものではなく、種々の変更が可能であり、それらも本発明の範囲内に包含されるものであることは言うまでもない。また、実施の形態（１）〜（６）に係る乗客管理装置の一部の構成及び処理動作を組み合わせることもできる。
【符号の説明】
【０１６４】
１、１Ａ、１Ｂ、１Ｃ、１Ｄ、１Ｅ  乗客管理装置
１０、１１  乗車客用カメラ
２０、２１  降車客用カメラ
３０  時計部
４０、４０Ａ、４０Ｂ、４０Ｃ、４０Ｄ、４０Ｅ  記憶部
５０、５０Ａ、５０Ｂ、５０Ｃ、５０Ｄ、５０Ｅ  マイコン
６０  表示部
７０、７０Ａ、７０Ｃ、７０Ｄ  通信部
８０  操作部
【図１】
2018106315.tif 000003
【図２】
2018106315.tif 000004
【図３】
2018106315.tif 000005
【図４】
2018106315.tif 000006
【図５】
2018106315.tif 000007
【図６】
2018106315.tif 000008
【図７】
2018106315.tif 000009
【図８】
2018106315.tif 000010
【図９】
2018106315.tif 000011
【図１０】
2018106315.tif 000012
【図１１】
2018106315.tif 000013
【図１２】
2018106315.tif 000014
【図１３】
2018106315.tif 000015
【図１４】
2018106315.tif 000016
【図１５】
2018106315.tif 000017
【図１６】
2018106315.tif 000018
【図１７】
2018106315.tif 000019
【図１８】
2018106315.tif 000020
【図１９】
2018106315.tif 000021
【図２０】
2018106315.tif 000022